(57)【要約】【課題】印刷対象の画像の編集作業に集中しながら、印刷時のインク等の消耗品消費量を容易に把握でき、編集作業の効率を向上する。【解決手段】それぞれ独立して編集可能な複数の要素で構成された印刷対象の画像について、前記要素毎に印刷に要する消耗品消費量を算出するインク消費量算出部３２と、少なくとも、インク消費量算出部３２により算出された要素のインク消費量を表示するインク消費量表示部３３と、を備える。【選択図】図２
2011081692.tif 000002
【特許請求の範囲】
【請求項１】
それぞれ独立して編集可能な複数の要素で構成された印刷対象の画像について、前記要素毎に印刷に要する消耗品消費量を算出する消耗品消費量算出部と、
少なくとも、前記消耗品消費量算出部により算出された前記要素の消耗品消費量を表示する消耗品消費量表示部と、
を備えたことを特徴とする消耗品消費量算出装置。
【請求項２】
請求項１記載の消耗品消費量算出装置において、
前記消耗品消費量算出部は前記印刷対象の画像全体の消耗品消費量を算出し、
前記消耗品消費量表示部は、前記要素の消耗品消費量を前記印刷対象の画像全体の消耗品消費量とともに表示することを特徴とする消耗品消費量算出装置。
【請求項３】
請求項１または請求項２記載の消耗品消費量算出装置において、
前記消耗品消費量算出部は、前記要素が編集された場合には、編集された要素について前記消耗品消費量を再算出することを特徴とする消耗品消費量算出装置。
【請求項４】
請求項１から請求項３のいずれかに記載の消耗品消費量算出装置において、
前記消耗品消費量算出部は、前記要素の消耗品消費量を算出する場合に、前記印刷対象の画像を縮小した縮小画像を生成し、生成された前記縮小画像に基づいて、前記消耗品消費量を算出することを特徴とする消耗品消費量算出装置。
【請求項５】
それぞれ独立して編集可能な複数の要素で構成された印刷対象の画像について、前記要素毎に印刷に要する消耗品消費量を算出する消耗品量算出過程と、
少なくとも、前記消耗品量算出過程において算出された前記要素の消耗品消費量を表示する消耗品量表示過程と、
を備えたことを特徴とする消耗品消費量算出装置の制御方法。
【請求項６】
請求項５記載の消耗品消費量算出装置の制御方法において、
前記印刷対象の画像全体の消耗品消費量を算出する消耗品量算出過程と、前記要素の消耗品消費量を前記印刷対象の画像全体の消耗品消費量とともに表示する消耗品量表示過程と、
を備えたことを特徴とする消耗品消費量算出装置の制御方法。
【請求項７】
請求項５または請求項６記載の消耗品消費量算出装置の制御方法において、
前記消耗品量算出過程は、前記要素が編集された場合には、編集された要素について前記消耗品消費量を再算出することを特徴とする消耗品消費量算出装置の制御方法。
【請求項８】
コンピューターを消耗品消費量算出装置として機能させるための制御プログラムであって、
前記コンピューターを、
それぞれ独立して編集可能な複数の要素で構成された印刷対象の画像について、前記要素毎に印刷に要する消耗品消費量を算出する消耗品量算出手段、
少なくとも、前記消耗品量算出手段により算出された前記要素の消耗品消費量を表示する消耗品量表示手段、
として機能させることを特徴とする制御プログラム。
【請求項９】
請求項８記載の制御プログラムにおいて、
前記コンピューターを前記消耗品量算出手段として機能させ、前記要素が編集された場合には、編集された要素について前記消耗品消費量を再算出させることを特徴とする制御プログラム。
【発明の詳細な説明】
【技術分野】
【０００１】
本発明は、消耗品消費量算出装置、消耗品消費量算出装置の制御方法及び制御プログラムに係り、特にそれぞれ独立して編集可能な複数の要素で構成された印刷対象の画像の編集時に、印刷に要する消耗品消費量を算出するための技術に関する。
【背景技術】
【０００２】
従来、インクジェット方式等のプリンター等を出力対象として、レシートに印刷するロゴマークのデザインや、オンデマンドで印刷して発券するクーポン券のデザインを行う場合には、レシートやクーポン券の発行コストを考慮するためにインク等の消耗品の消費量を把握したいという要望があった。
この場合において、デザイン途中でロゴマークやクーポン券等を印刷した場合のインク消費量を把握するためには、（例えば、特許文献１参照）一旦デザイン内容を確定するため、デザイン作業を中断し、その時におけるデザインに基づきロゴマークやクーポン券を印刷した場合のインク消費量を算出していた。この算出結果より、目標とするインク消費量に近づけるため、当該デザイン作業中断時のロゴマークやクーポン券を構成する要素（背景、画像、テキストなど）のうち、インク消費量を調整するための要素を選択し、選択した要素を編集するためにデザイン作業を再開し、再びインク消費量を算出する、という一連の作業を何度も繰り返すこととなっていた。
この場合において、インク消費量を目的のインク消費量とするために編集対象とする要素を的確に選択しデザインを修正するのは難しく、熟練を要するものがあり、上述の一連の作業を何度も繰り返す要因であった。
【先行技術文献】
【特許文献】
【０００３】
【特許文献１】特開２００５−２１２２７０号公報
【発明の概要】
【発明が解決しようとする課題】
【０００４】
上記従来の構成においては、インク消費量を把握するためにロゴマークやクーポン券等のデザイン作業を何度も中断する必要があり、効率が悪い上、デザイン作業に集中しながら、実際に印刷した場合のインク消費量を容易に把握することはできないという問題点があった。
そこで、本発明の目的は、印刷対象の画像の編集作業に集中しながら、消耗品の消費量（例えば、印刷時のインク消費量）を容易に把握でき、編集作業の効率を高くすることが可能な消耗品消費量算出装置、消耗品消費量算出装置の制御方法及び制御プログラムを提供することにある。
【課題を解決するための手段】
【０００５】
上記課題を解決するため、本発明の消耗品消費量算出装置は、それぞれ独立して編集可能な複数の要素で構成された印刷対象の画像について、前記要素毎に印刷に要する消耗品消費量を算出する消耗品消費量算出部と、少なくとも、前記消耗品消費量算出部により算出された前記要素の消耗品消費量を表示する消耗品消費量表示部と、を備えたことを特徴としている。
【０００６】
上記構成によれば、消耗品消費量算出部は、印刷対象の画像を構成している要素毎に印刷に要する消耗品消費量を算出する。
これにより、消耗品消費量表示部は、少なくとも、消耗品消費量算出部により算出された要素の消耗品消費量を表示する。
したがって、消耗品使用量の調整（例えば、インク量の低減）を図るような場合に、いずれの要素を消耗品量調整対象とすべきかを容易に判断することができる。
本発明の消耗品消費量算出装置において、前記消耗品消費量算出部は前記印刷対象の画像全体の消耗品消費量を算出し、前記消耗品消費量表示部は、前記要素の消耗品消費量を前記印刷対象の画像全体の消耗品消費量とともに表示することを特徴としている。
印刷対象の画像全体の消耗品消費量における各要素の消耗品消費量の占める割合を直感的に把握できる。
【０００７】
この場合において、前記消耗品消費量算出部は、前記要素が編集された場合には、編集された要素について前記消耗品消費量を再算出するようにしてもよい。
上記構成によれば、要素の編集により生じた消耗品消費量を反映して消耗品消費量を表示することが可能となる。
【０００８】
また、前記消耗品消費量算出部は、前記要素の消耗品消費量を算出する場合に、前記印刷対象の画像を縮小した縮小画像を生成し、生成された前記縮小画像に基づいて、前記消耗品消費量を算出するようにしてもよい。
上記構成によれば、縮小画像は、データ容量が小さくなるため、消耗品消費量を算出する処理の処理負荷を低減でき、実効的な処理の高速化を図ることができる。
また、上記各構成において、前記印刷対象の画像は、前記要素としてのレイヤーを複数有するレイヤー構成を採っているようにしてもよい。
上記構成によれば、レイヤー毎に消耗品量を把握することができ、消耗品消費量の調整を図る場合に、いずれのレイヤーの編集を行うのが効率的であるかを容易に把握できる。
また、前記要素は、それぞれオブジェクトとして構成されているようにしてもよい。
上記構成によれば、オブジェクト毎に消耗品量を把握することができ、消耗品消費量の調整を図る場合に、いずれのオブジェクトの編集を行うのが効率的であるかを容易に把握できる。
【０００９】
また、本発明の消耗品消費量算出装置の制御方法は、それぞれ独立して編集可能な複数の要素で構成された印刷対象の画像について、前記要素毎に印刷に要する消耗品消費量を算出する消耗品量算出過程と、前記消耗品消費量算出部により算出された前記要素の消耗品消費量を表示する消耗品量表示過程と、を備えたことを特徴とする。
上記構成によれば、消耗品量算出過程において印刷対象の画像を構成している要素毎に印刷に要する消耗品消費量を算出し、消耗品量表示過程において、少なくとも、消耗品量算出過程において算出された要素の消耗品消費量を表示する。
したがって、消耗品使用量の調整（例えば、インク量の低減）を図るような場合に、いずれの要素を消耗品量調整対象とすべきかを容易に判断できる。
また、本発明の消耗品消費量算出装置の制御方法は、前記消耗品量算出過程において、前記印刷対象の画像全体の消耗品消費量を算出する消耗品量算出過程と、前記要素の消耗品消費量を前記印刷対象の画像全体の消耗品消費量とともに表示する消耗品量表示過程と、を備えたことを特徴とする。
印刷対象の画像全体の消耗品消費量における各要素の消耗品消費量の占める割合を直感的に把握できる。
【００１０】
この場合において、前記消耗品量算出過程は、前記要素が編集された場合には、編集された要素について前記消耗品消費量を再算出するようにしてもよい。
上記構成によれば、要素の編集により生じた消耗品消費量を反映して消耗品消費量を表示することができる。
また、前記消耗品量算出過程は、前記要素の消耗品消費量を算出する場合に、前記印刷対象の画像を縮小した縮小画像を生成し、生成された前記縮小画像に基づいて、前記消耗品消費量を算出するようにしてもよい。
上記構成によれば、縮小画像は、データ容量が小さくなるため、消耗品消費量を算出する処理の処理負荷を低減でき、実効的な処理の高速化を図ることができる。
また、上記各構成において、前記印刷対象の画像は、前記要素としてのレイヤーを複数有するレイヤー構成を採っているようにしてもよい。
上記構成によれば、レイヤー毎に消耗品量を把握することができ、消耗品消費量の調整を図る場合に、いずれのレイヤーの編集を行うのが効率的であるかを容易に把握できる。
また、前記要素は、それぞれオブジェクトとして構成されているようにしてもよい。
上記構成によれば、オブジェクト毎に消耗品量を把握することができ、消耗品消費量の調整を図る場合に、いずれのオブジェクトの編集を行うのが効率的であるかを容易に把握できる。
【００１１】
また、本発明の制御プログラムは、コンピューターを消耗品消費量算出装置として機能させるための制御プログラムであって、前記コンピューターを、それぞれ独立して編集可能な複数の要素で構成された印刷対象の画像について、前記要素毎に印刷に要する消耗品消費量を算出させる消耗品量算出手段、前記消耗品量算出手段により算出された前記要素の消耗品消費量を前記印刷対象の画像全体の消耗品消費量とともに表示させる消耗品量表示手段、として機能させることを特徴としている。
【００１２】
上記構成によれば、コンピューターは、消耗品量算出手段として機能して、印刷対象の画像を構成している要素毎に印刷に要する消耗品消費量を算出し、消耗品量表示手段として機能して、少なくとも、算出された要素の消耗品消費量を表示させる。
したがって、消耗品使用量の調整（例えば、インク量の低減）を図るような場合に、いずれの要素を消耗品量調整対象とすべきかを容易に判断できる。
本発明の制御プログラムは、コンピューターを消耗品消費量算出装置として機能させるための制御プログラムにおいて、前記消耗品量算出手段により前記印刷対象の画像全体の消耗品消費量を算出し、前記要素の消耗品消費量を前記印刷対象の画像全体の消耗品消費量とともに表示させる消耗品量表示手段、として機能させることを特徴としている。
したがって、印刷対象の画像全体の消耗品消費量における各要素の消耗品消費量の占める割合を直感的に把握できる。
【００１３】
この場合において、前記コンピューターを前記消耗品量算出手段として機能させ、前記要素が編集された場合には、編集された要素について前記消耗品消費量を再算出させるようにしても良い。
上記構成によれば、要素の編集により生じた消耗品消費量を反映して消耗品消費量を表示することができる。
【００１４】
また、前記コンピューターを消耗品量算出手段として機能させ、前記要素の消耗品消費量を算出させる場合に、前記印刷対象の画像を縮小した縮小画像を生成させ、生成された前記縮小画像に基づいて、前記消耗品消費量を算出させるようにしてもよい。
上記構成によれば、縮小画像は、データ容量が小さくなるため、消耗品消費量を算出させる処理の処理負荷を低減でき、実効的な処理の高速化を図ることができる。
【００１５】
また、上記各構成において、前記印刷対象の画像は、前記要素としてのレイヤーを複数有するレイヤー構成を採っているようにしてもよい。
上記構成によれば、レイヤー毎に消耗品量を把握することができ、消耗品消費量の調整を図る場合に、いずれのレイヤーの編集を行うのが効率的であるかを容易に把握できる。
【００１６】
また、前記要素は、それぞれオブジェクトとして構成されているようにしてもよい。
上記構成によれば、オブジェクト毎に消耗品量を把握することができ、消耗品消費量の調整を図る場合に、いずれのオブジェクトの編集を行うのが効率的であるかを容易に把握できる。
【発明の効果】
【００１７】
本発明によれば、印刷対象の画像全体のインク等の消耗品消費量における各要素の消耗品消費量の占める割合を直感的に把握できるとともに、消耗品使用量の調整（例えば、インク量の低減）を図るような場合に、いずれの要素を消耗品量調整対象とすべきかを容易に判断できるという効果を奏する。
【図面の簡単な説明】
【００１８】
【図１】実施形態の画像処理システムの概要構成ブロック図である。
【図２】画像処理システムの概要機能ブロック図である。
【図３】画像処理システムの概要処理フローチャートである。
【図４】ディスプレイの表示画面の説明図である。
【図５】ドキュメントがレイヤー構成の場合の説明図である。
【発明を実施するための形態】
【００１９】
以下、図面を参照して本発明の好適な実施の形態について説明する。
図１は、実施形態の画像処理システムの概要構成ブロック図である。
画像処理システム１０は、各種処理を行うコンピューター本体１１と、各種情報を表示するディスプレイ１２と、各種データを入力するキーボード１３と、タッチペン１４を利用して画像などを描画するためのペンタブレット１５と、マウス１６と、インクジェット方式のプリンター１７と、を備えている。
【００２０】
図２は、画像処理システムの概要機能ブロック図である。
以下の説明においては、デザインを行う印刷対象の画像を含むファイルをドキュメントと表現するものとする。
ドキュメント２１には、背景データ２２、画像データ２３、テキストデータ２４が含まれている。ここで、画像データ２３は、複数の要素から構成されている。
画像データ２３を構成する要素としては、レイヤー、オブジェクトなどが挙げられ、各要素毎に独立して編集が可能となっている。すなわち、要素の編集は、レイヤー単位あるいはオブジェクト単位で行え、各要素の編集結果は、他の要素に影響を与えないようになっている。各要素は、背景データ２２、画像データ２３、テキストデータ２４でもよい。
【００２１】
画像処理システム１０は、大別すると、ドキュメント２１を対象として、画像編集機能を実現するアプリケーション２５と、編集されたドキュメント２１のプリンター１７における印刷時のインク（消耗品）の消費量を算出し、オペレーターに提示するインク消費量管理部２６と、を備えている。
インク消費量管理部２６は、ドキュメント２１のデータを取得し、取得したデータのデータ容量が所定の基準データ容量を超えている場合に演算に用いる画像の画像サイズを縮小するデータ縮小部３１と、プリンター１７に対して設定されているプリンター設定情報およびドキュメントのデータ（元データあるいは縮小データ）に基づいて、ドキュメントを印刷した場合のインク消費量をドキュメント２１全体およびドキュメント２１を構成する要素毎に算出するインク消費量算出部３２と、インク消費量算出部３２が算出したインク消費量をドキュメント２１全体およびドキュメント２１を構成する要素のうちオペレーターにより選択されている要素（選択要素）について表示するインク消費量表示部３３と、を備えている。
【００２２】
図３は、画像処理システムの概要処理フローチャートである。
上記構成において、インク消費量管理部２６は、ドキュメント２１を作成、編集するアプリケーション２５と同時に起動されていることを前提としており、実際的には、アプリケーション２５のプラグインとして構成されている。
アプリケーション２５において、ドキュメント２１を構成する要素（図２では、背景データ２２）を編集対象として選択すると（ステップＳ１）、アプリケーション２５は、プラグインであるインク消費量管理部２６に対し、選択変更通知を行う（ステップＳ２）。
これにより、インク消費量管理部２６のインク消費量算出部３２は、オペレーターにより選択されている要素（選択要素）を背景データ２２に対応する背景とする。
これに伴い、コンピューター本体１１は、図３に示すように、オペレーターにより、要素の更新がなされたか否かを判別する（ステップＳ１１）。
ステップＳ１１の判別の結果、要素の更新が未だなされていない場合には（ステップＳ１１；Ｎｏ）、待機状態となる。
ステップＳ１１の判別の結果、要素の更新がなされた場合には（ステップＳ１１；Ｙｅｓ）、アプリケーション２５からドキュメント２１の編集がプラグインであるインク消費量管理部２６に通知することとなる（ステップＳ３）。
そして、インク消費量管理部２６は、アプリケーション２５を介してドキュメント２１にデータ要求を行い（ステップＳ４）、ドキュメント２１からアプリケーション２５を介してドキュメント全体及び構成要素毎のデータを取得する（ステップＳ５）。
【００２３】
これらの結果、インク消費量管理部２６を構成するデータ縮小部３１は、取得したデータのデータ容量が所定の基準データ容量を超えているか否かに基づいて取得したデータに対応する画像の縮小が必要か否かを判別する（ステップＳ１２）。
ステップＳ１２の判別において、画像の縮小が必要な場合には（ステップＳ１２；Ｙｅｓ）、演算に用いる画像の画像サイズを縮小して、その縮小率とともに縮小後のドキュメント２１のデータをインク消費量算出部３２に出力する。
また、データ縮小部３１は、取得したデータのデータ容量が所定の基準データ容量を超えていない場合には、画像の縮小が必要ではないと判別し（ステップＳ１２；Ｎｏ）、取得したドキュメント２１のデータをそのままインク消費量算出部３２に出力することとなる。
これらの場合において、基準データ容量としては、データ容量が大きく処理に時間がかかると想定され、所定の処理時間内に処理が完了しないと想定される容量が設定されている。
【００２４】
なお、データ縮小部３１は、ドキュメント２１のデータが基準データ容量を超えている場合でも、オペレーターにより正確なインク消費量を算出することが指示された場合には、画像データを縮小することなく、そのままインク消費量算出部３２にドキュメント２１のデータを出力することとなる。同様に取得したデータのデータ容量が所定の基準データ容量を超えていない場合であっても、オペレーターにより、処理速度優先等のために、画像データ縮小の指示がなされている場合には、演算に用いる画像の画像サイズを縮小して、その縮小率とともに縮小後のドキュメント２１のデータをインク消費量算出部３２に出力することとなる。
【００２５】
これらにより、インク消費量算出部３２は、取得したドキュメント２１のデータおよび印刷モードや用紙設定などのインク消費量に影響を与えるプリンター設定情報に基づいて画素毎にインクショット数（ヘッドの各ノズルにおけるインク吐出回数）に換算し、当該ドキュメント２１のデータを印刷した場合のインク消費量（あるいは、インク消費概算量）を算出する（ステップＳ１４）。インクが、イエロー、シアン、マゼンタ、ブラック等がある場合、それぞれのインクのショット数と、合計のショット数を算出する。
ここで、インク消費量の算出についてより具体的に説明する。
まず、インク消費量算出部３２は、ショット数データと印刷結果予測画像の生成を行う。そして、インク消費量算出部は、取得したプリント設定情報に含まれるプリンター名をもとに、当該プリンター１７用の解析モジュールを用いて、吐出データの制御データを解析し、プリンター１７のインクジェットヘッドにおけるヘッドショット数（ヘッドにおけるインク吐出回数）と、インクジェットヘッドがキャリッジに搭載されるもので、往復しながらインクを吐出する場合の往復回数とをカウントする。このヘッドショット数としては、インクジェットヘッドの有する全ノズルのショット数を全てカウントする。
【００２６】
この場合に、インク消費量算出部３２は、ドキュメント２１を構成する要素（レイヤーあるいはオブジェクトなど）毎にヘッドショット数をカウントし、その後、これらを合計してドキュメント２１のヘッドショット数を算出することとなる。
インク消費量算出部３２は、こうして得られた要素毎及びドキュメント２１全体の、ヘッドショット数と、インクジェットヘッドの往復回数とを、要素毎及びドキュメント２１全体のショット数データとして図示しないメモリーへ格納する。インク消費量算出部３２は、印刷するための吐出データが生成される際に使用されるプリンタードライバーに含まれる解析モジュールを用いて、吐出データを解析するものでもよい。
【００２７】
そして、ドキュメント２１全体およびドキュメント２１を構成するとともにオペレーターにより選択された要素のそれぞれに対応するインク消費量について、消耗品消費量表示部として機能するディスプレイ１２の表示を同時に更新して、オペレーターに通知することとなる。
【００２８】
図４は、ディスプレイの表示画面の説明図である。
ディスプレイ１２の表示画面１２Ａ上には、画像編集を行うアプリケーション２５に対応するアプリケーションウィンドウ４１が表示されている。
アプリケーションウィンドウ４１内には、ファイル操作などを行う標準ツールバー表示領域４２、画面遷移を行わせる画面遷移ツールバー表示領域４３、処理対象のドキュメント２１の格納アドレスを示すアドレス表示領域４４、処理対象のドキュメント２１の印刷イメージＩＭＧを表示するとともに、ドキュメント２１の編集を行う編集領域４５，編集ツールのアイコンが複数表示されたツール表示領域４６および編集対象あるいは編集条件などの各種情報を表示する編集情報表示領域４７を備えている。
【００２９】
ここで、編集情報表示領域４７は、インク消費量表示部３３を構成するインク消費量表示サブウインドウ５０を備えている。
インク消費量表示サブウインドウ５０は、プリンター名、印刷解像度、印刷用紙種類などのプリンター設定情報を表示するプリンター設定情報表示領域５１と、ドキュメント２１全体、すなわち、印刷イメージＩＭＧに対応する画像全体のインク消費量をインクショット数等で表示する全インク消費量表示領域５２と、印刷イメージＩＭＧのうち、オペレーターが選択した編集対象の要素が印刷イメージＩＭＧを構成する画像ＩＭＧＳに対応する画像のインク消費量をインクショット数等で表示する編集対象インク消費量表示領域５３と、を備えている。
【００３０】
さらにインク消費量表示サブウインドウ５０は、印刷イメージＩＭＧに対応する印刷結果におけるインク（図４においては、イエロー、マゼンタ、シアン、ブラックの４種）のインクの使用比率を表示する使用インク比率表示部５４と、オペレーターがインク消費量の算出を手動で指示するための更新ボタンを表示する更新ボタン表示領域５５と、を備えている。ここで、更新ボタンについては、これをクリックするなどの操作を行わなくても、所定のタイミング（編集確定あるいは所定時間毎）において自動的に更新するように構成することも可能となっている。
そして、オペレーターが編集領域４５において、ツール表示領域に４７に表示されている編集ツールなどを用いて印刷イメージＩＭＧを編集すると、編集内容に応じて、編集が確定したとされたタイミング（あるいは所定期間ごとに）で全インク消費量表示領域５２および編集対象インク消費量表示領域５３の内容が更新される。
【００３１】
このようにドキュメント２１の編集をトリガーとしてインク消費量を再算出し、自動的にディスプレイ１２上で再表示するため、オペレーターがインク消費量を算出させるための指示をその都度行う必要が無くなり、デザイン作業の作業性が向上することとなる。
さらに要素毎にインク消費量を表示させることができるため、オペレーターがインク消費量を低減しようとする場合に、どの要素（例えば、背景、オブジェクトの画像、テキストなど）についてインク消費量の低減が容易であるかを容易に把握することが可能となる。
【００３２】
次にデザイン対象の画像の要素がレイヤー構成を採っている場合について説明する。
図５は、ドキュメントがレイヤー構成の場合の説明図である。
この場合に、実際の印刷状態では、下位レイヤーＬＬ（要素）に属する円形状のオブジェクトＡは、上位レイヤーＬＵ（要素）に属する星形形状のオブジェクトＢが不透明である場合、オブジェクトＢの領域の内、両オブジェクトＡ、Ｂが表示画面上で重なった部分については印刷されないこととなる。
したがって、オブジェクトＢの領域の内、この重なった領域は、インク消費量に影響を与えないこととなる。
より詳細には、図５に示すような場合には、下位レイヤーＬＬに属する円形状のオブジェクトＢのうち、上位レイヤーＬＵに属する星形形状のオブジェクトＡと重なる領域Ｘ（＝ＡａｎｄＢ）は、インク消費量に影響を与えないため、その分を予めカウントしないようにするかあるいは、後から差し引くように構成している。
【００３３】
以上の説明は、アプリケーションの編集によりオブジェクトＡ、Ｂの各レイヤー内における配置位置が変化しない場合のものであるが、編集によりいずれかの要素の配置、サイズ、形状など、領域Ｘが変更されるような変更を行った場合には、領域Ｘについても再計算して、インク消費量を再算出する必要がある。また、編集によりレイヤーの上下関係を変更した場合には、再度領域Ｘを算出してインク消費量をその都度、再算出する必要がある。
また、以上の説明は、要素がレイヤーである場合について述べたが、同一のレイヤーに、上述したようなオブジェクトが複数属している場合に、各オブジェクトを要素として取り扱い、同様の処理を適用することも可能である。図２の背景データ２２、画像データ２３、テキストデータ２４を、各オブジェクトとしてもよい。この場合、背景データ２２、画像データ２３、テキストデータ２４が、要素として取り扱われる。
【００３４】
以上の説明のように、本実施形態によれば、アプリケーション２５によりドキュメント２１を編集した場合には、当該編集を反映して、インク消費量が算出されるので、目的とするインク消費量に容易に到達させることが可能となる。
この場合において、ドキュメント２１全体のインク消費量ばかりでなく、オペレーターが選択したドキュメント２１の要素についてもインク消費量が算出されるので、どの要素を編集すれば、目的とするインク消費量に到達させることができるのかを編集作業前であっても、容易に判断することができ、デザイン作業を中断しインク消費量を算出することを繰り返す回数を減らすことができ、実質的な編集作業時間を低減し、処理効率の向上を図ることが可能となる。
【００３５】
以上の説明においては、ドキュメント２１について選択可能な要素は一つだけの場合について説明したが、複数の要素を選択可能として、それぞれの要素についてインク消費量を表示させたり、選択した複数の要素全体のインク消費量を表示したりするように構成することも可能である。
以上の説明において、インクジェット方式のプリンターの実施例で説明したが、レーザー方式のプリンターにおける各色のトナーや、昇華型や転写型などの熱転写方式のプリンターにおける各色のインクリボンや、インパクト方式における各色のインクリボンなど、消耗品を用いて多色で記録できる装置でも適応が可能である。また、被記録媒体も紙の他、布、樹脂、ガラスなどでも適応が可能である。
【符号の説明】
【００３６】
１０…画像処理システム、１１…コンピューター本体、１２…ディスプレイ、１２Ａ…表示画面、１７…プリンター、２１…ドキュメント、２２…背景データ、２３…画像データ、２４…テキストデータ、２５…アプリケーション、２６…インク消費量管理部（消耗品消費量管理部）、３１…データ縮小部、３２…インク消費量算出部（消耗品消費量算出部）、３３…インク消費量表示部（消耗品消費量表示部）、５０…インク消費量表示サブウインドウ、５１…プリンター設定情報表示領域、５２…全インク消費量表示領域、５３…編集対象インク消費量表示領域、５４…使用インク比率表示部、５５…更新ボタン表示領域、Ａ、Ｂ…オブジェクト（要素）、ＬＬ…下位レイヤー（要素）、ＬＵ…上位レイヤー（要素）。
【図１】
2011081692.tif 000003
【図２】
2011081692.tif 000004
【図３】
2011081692.tif 000005
【図４】
2011081692.tif 000006
【図５】
2011081692.tif 000007